(57)【要約】【課題】  簡略な製造工程で得られる、表面の磁束密度が高い磁気治療用磁石を提供する。【解決手段】  円錐台と前記円錐台と同じ直径を備えた円柱を接合した形状の、円錐台形状部分３ａに、円錐台の底面に平行で、円錐台の中心を含む方向に、断面がＶ字型２ａを少なくとも一つ形成することにより、円錐台形状部分３ａに、複数の突起部１ａが設けられた形状を有する、磁気治療用磁石が得られる。突起部１ａには、磁束が収束されるので。この突起部１ａを皮膚に向けて、身体の所要箇所に貼り付けることにより、高い治療効果が得られる。【選択図】図１
2016123706.tif 000002
【特許請求の範囲】
【請求項１】
円錐台と前記円錐台と同じ直径を備えた円柱を接合した形状の、前記円錐台の部分に、前記円錐台の底面に平行で、前記円錐台の中心を含む方向に、断面がＶ字型の溝を少なくとも一つ形成することにより、前記円錐台の部分に複数の突起部が設けられた形状を有することを特徴とする磁気治療用磁石。
【請求項２】
前記突起部が４箇以下の場合は、前記Ｖ字型溝の底部の角度が５０〜７０°であり、前記突起部が５箇以上の場合は、前記Ｖ字型溝の底部の角度が４０〜５０°であることを特徴とする、請求項１に記載の磁気治療用磁石。
【発明の詳細な説明】
【技術分野】
【０００１】  本発明は、粘着性シートにより、身体の表面に貼り付けることにより、磁力の作用で患部に血行を促進し、凝りを解すことができる磁気治療用磁石に関し、特に患部の深部まで磁力を到達させ、その効果を増加し得る磁気治療用磁石に関するものである。
【背景技術】
【０００２】  肩凝りなどが生じている患部に、磁力を作用させることによりに、血行を促進させる磁気治療が、従来から実施されている。そして、これを手軽に行うために、粘着テープにより皮膚に接着できるようにした、磁気治療用磁石が市販されている。【０００３】  図５は、市販されている磁気治療用磁石の形状の例を示す図で、図５（ａ）は、円盤の片面に半球状の突起を設けた形状、図５（ｂ）は、円盤の両面に半球状の突起を設けた形状、図５（ｃ）は、円盤の片面に円錐形状の突起を設けた形状、図５（ｄ）は、円盤に片面のほぼ中央に山形の突起を設けた形状である。なお、それぞれの図における左側は斜視図、右側は正面図である。【０００４】  これらの例で、図５（ａ）、図５（ｂ）に示した形状の磁気治療用磁石では、磁束が収束しないため、表面の磁束密度が高くならず、活用できる磁場は、有効とされる磁場の８０％程度である。また図５（ｃ）に示した円錐形の突起を設けた磁気治療磁石では、突起の先端に磁束が収束され、表面の磁束密度が高くなるが、その箇所は１点だけであり、効率の観点で改善の余地がある。【０００５】  また、特許文献１には、図５（ｄ）に示した形状の磁気治療用磁石が開示され、凸部を設けることで、好ましい結果が得られるとされているが、図５（ｃ）の場合と同様の課題がある。【０００６】  さらに特許文献２には、身体に当接する側の面に、複数の半球状の突起を設けた磁気治療用磁石が開示されている、しかしこの場合も、特許文献１と同様の課題がある。また、この機磁気治療用磁石は、磁性体粉末をプレス成形して得られる圧粉体を、焼結することで作製することが開示されているが、形状の複雑化に伴う、製造コスト増加の点で課題が残る。
【先行技術文献】
【特許文献】
【０００７】
【特許文献１】  特開昭５８−１１２５５５号公報
【特許文献２】  実用新案登録第３１４９４５２号公報
【発明の概要】
【発明が解決しようとする課題】
【０００８】  本発明の課題は、前記課題に鑑み、簡略な製造工程で得られる、表面の磁束密度が高い磁気治療用磁石を提供することにある。
【課題を解決するための手段】  本発明は、前記課題の解決のため、磁石の表面に従来とは異なる突起部を設けることと、その加工方法を検討した結果、なされたものである。【０００９】  即ち、本発明は、円錐台と前記円錐台と同じ直径を備えた円柱を接合した形状の、前記円錐台の部分に、前記円錐台の底面に平行で、前記円錐台の中心を含む方向に、断面がＶ字型の溝を少なくとも一つ形成することにより、前記円錐台の部分に複数の突起部が設けられた形状を有することを特徴とする磁気治療用磁石である。【００１９】  また、本発明は、前記突起部が４箇以下の場合は、前記Ｖ字型溝の底部の角度が５０〜７０°であり、前記突起部が５箇以上の場合は、前記Ｖ字型溝の底部の角度が４０〜５０°であることを特徴とする、前記の磁気治療用磁石である。
【発明の効果】
【００２０】  本発明の磁気治療用磁石には、一方の面に複数の突起部が設けられているので、当該突起部で磁束が収束され、表面の磁束密度を高くすることが可能なので、粘着テープなどの手段で突起部を皮膚に向けて、身体の所要箇所に貼り付けることにより、にそれに応じた治療効果が得られる。【００２１】  また、本発明の磁気治療用磁石では、切削加工でＶ字型溝を設け、一方の面に複数の突起を設けることで、磁束を収束させることができるが、突起数の増加に伴い、磁束の収束の度合いを大きくすることが必要になり、これは突起部の尖りの度合い、つまりＶ字型溝の傾斜角度により調整できる。本発明者の検討結果によると、突起部の数が４箇以下の場合は、突起部を形成するＶ字型溝の底部の角度を、５０〜７０°、５箇以上の場合は、４０〜５０°に設計する必要があることが判明した。
【図面の簡単な説明】
【００２２】
【図１】  本発明に係る磁気治療用磁石の第一の例を示す図、図１（ａ）は平面図、図１（ｂ）は正面図、図１（ｃ）は斜視図。
【図２】  本発明に係る磁気治療用磁石の第二の例を示す図、図２（ａ）は平面図、図２（ｂ）は正面図、図２（ｃ）は斜視図。
【図３】  本発明に係る磁気治療用磁石と従来の磁気治療用磁石の磁束の状態をシミュレーションした図。
【図４】  本発明に係る磁気治療用磁石と従来の磁気治療用磁石の表面の磁束密度の分布状態の測定結果を示す図。
【図５】  市販されている磁気治療用磁石の形状の例を示す図。
【発明を実施するための形態】
【００２３】  次に、本発明の実施の形態について、具体的な図を参照しながら説明する。本発明の磁気治療用磁石としては、特に材質の限定はないが、フェライト系磁石、Ｓｍ−Ｃｏ系磁石、Ｎｄ−Ｆｅ−Ｂ系磁石を用いることができ、前記磁石の粉末を高分子材料の結合材を用いて成形した、いわゆるプラスチック磁石やボンド磁石を用いることも可能である。
【００２４】  そして、焼結法で得られる磁石であれば、原料粉末の成形に用いる金型に、溝を形成する部分を設けることで対応可能で、プラスチック磁石やボンド磁石の場合も同様である。また、構造が単純なことから、磁石に切削加工を施すことによっても、Ｖ字型溝を設けることができる。
【００２５】  図１は、本発明に係る磁気治療用磁石の第一の例を示す図で、図１（ａ）は平面図、図１（ｂ）は正面図、図１（ｃ）は斜視図である。図１において、１ａは突起部、２ａはＶ字型溝、３ａは円錐台形状部分、４ａは円柱形状部分である。この例においては、円錐台形状部分３ａの中心で交差し、互いに直交するＶ字型溝２ａを設けることにより、突起部１ａを４箇所形成した。また、図１（ｂ）におけるθ１は、約６５°である。
【００２６】  図２は、本発明に係る磁気治療用磁石の第二の例を示す図で、図２（ａ）は平面図、図２（ｂ）は正面図、図２（ｃ）は斜視図である。図２において、１ｂは突起部、２ｂはＶ字型溝、３ｂは円錐台形状部分、４ｂは円柱形状部分である。この例においては、Ｖ字型溝２ｂを、円錐台形状部分の中心から放射状にそれぞれ隣接するＶ字型溝が７２°の角度をなすように設けることにより、突起部１ｂを５箇所形成した。また、図２（ｂ）におけるθ２は、約４９°である。
【００２７】  図３は、本発明に係る磁気治療用磁石と従来の磁気治療用磁石の、磁束の状態をシミュレーションした図である。図３（ａ）は、本発明に係る磁気治療用磁石の第一の例、図３（ｂ）は、比較例として示した、図５（ａ）の例である。
【００２８】  また、図４は、本発明に係る磁気治療用磁石と従来の磁気治療用磁石の、表面の磁束密度の分布状態の測定結果を示す図である。ここでは、突起部を含む直径方向を走査した結果を示していて、起点、つまり一方の周縁の位置を０、終点、つまり起点に対向する側の周縁の位置を１０として表示している。なお、ここで用いた磁石の材質はフェライト系である。
【００２９】  図３と図４に示した結果から明らかなように、本発明に係る磁気治療用磁石は、従来のものに比較して表面の磁束密度が高く、高い治療効果が得られる。
【００３０】  以上に説明したように、本発明によれば、特別な製造工程を必要としないで、従来よりも大きな効果を発現する磁気治療用磁石を得ることができる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００３１】１ａ，１ｂ・・・突起部
２ａ，２ｂ・・・Ｖ字型溝
３ａ，３ｂ・・・円錐台形状部分
４ａ，４ｂ・・・円柱形状部分
【図１】
2016123706.tif 000003
【図２】
2016123706.tif 000004
【図３】
2016123706.tif 000005
【図４】
2016123706.tif 000006
【図５】
2016123706.tif 000007